(57)【要約】【課題】元の画像の特徴を効果的に表現しつつ刺繍独特の風合いを自然に加味した縫目を形成できる刺繍データを作成する刺繍データ作成装置を提供する。【解決手段】刺繍模様の元となる元画像が入力され（Ｓ１）、元画像を構成する複数の画素のうち、角度特徴の強度が所定の閾値未満である第二画素に加味される設定角度特徴が取得される（Ｓ３）。全ての画素について、元画像の画像データに基づき、角度特徴とその強度が算出され（Ｓ５）、強度が閾値以上の第一画素と閾値未満の第二画素が特定される（Ｓ７）。第二画素について、周辺画素の角度特徴を加味した角度特徴が再算出され（Ｓ９）、更に、再算出された角度特徴と設定角度特徴とから、最終的な角度特徴が算出される（Ｓ１１）。第一画素、第二画素の順に、算出された角度特徴に基づいて線分が配置され（Ｓ１３）、刺繍データが作成される（Ｓ１９）。【選択図】図３
2013192579.tif 000002
【特許請求の範囲】
【請求項１】
複数の画素の集合体である画像の画像データに基づいて、ミシンにより刺繍縫製を行うための刺繍データを作成する刺繍データ作成装置であって、
前記画像データに基づいて、前記複数の画素の各々について、前記画像中の色の連続性の高い方向を示す情報である角度特徴と、前記色の変化の大きさを示す前記角度特徴の強度を算出する第一算出手段と、
前記第一算出手段によって算出された前記角度特徴に基づいて、前記複数の画素のうち、前記第一算出手段によって算出された前記強度が予め設定された閾値以上の画素である第一画素に対応する第一線分を配置する第一配置手段と、
前記複数の画素のうち、前記第一算出手段によって算出された前記強度が前記閾値よりも小さい画素である第二画素について、前記第一算出手段によって算出された前記第二画素の周囲の少なくとも一つの画素の前記角度特徴から、新たな角度特徴を算出する第二算出手段と、
前記第二画素に加味される角度特徴として予め設定された設定角度特徴を示す情報を取得する取得手段と、
前記第二算出手段によって算出された前記新たな角度特徴と、前記取得手段によって取得された前記情報が示す前記設定角度特徴とから、更に新たな角度特徴を算出する第三算出手段と、
前記第三算出手段によって算出された前記新たな角度特徴に基づいて、前記第二画素に対応する第二線分を配置する第二配置手段と、
前記第一配置手段によって配置された前記第一線分および前記第二配置手段によって配置された前記第二線分に対応する縫目を少なくとも示すデータを、刺繍データとして作成する作成手段とを備えたことを特徴とする刺繍データ作成装置。
【請求項２】
前記第三算出手段によって算出された前記新たな角度特徴に基づいて、前記第二配置手段によって前記第二線分が配置される領域を設定する領域設定手段と、
前記第二算出手段によって算出された前記新たな角度特徴に基づいて、前記領域設定手段によって設定された前記領域外にある前記第二画素に対応する前記第二線分を配置する第三配置手段とを更に備え、
前記第三算出手段は、前記領域設定手段によって設定された前記領域内にある前記第二画素についてのみ、前記新たな角度特徴を算出し、
前記第二配置手段は、前記領域内にある前記第二画素に対応する前記第二線分を配置し、
前記作成手段は、前記第一配置手段によって配置された前記第一線分、前記第二配置手段によって配置された前記第二線分、および前記第三配置手段によって配置された前記第二線分に対応する縫目を示すデータを、前記刺繍データとして作成することを特徴とする請求項１に記載の刺繍データ作成装置。
【請求項３】
複数種類の前記設定角度特徴を示す前記情報を記憶する記憶手段と、
前記記憶手段に記憶された前記複数種類の前記情報のうち一つを指定する指定手段とを更に備え、
前記取得手段は、前記指定手段によって指定された前記情報を取得することを特徴とする請求項１または２に記載の刺繍データ作成装置。
【請求項４】
請求項１から３の何れかに記載の刺繍データ作成装置の各種処理手段としてコンピュータを機能させるための刺繍データ作成プログラム。
【請求項５】
請求項４に記載の刺繍データ作成プログラムを記憶したコンピュータ読取り可能な記憶媒体。
【発明の詳細な説明】
【技術分野】
【０００１】
本発明は、ミシンを用いて刺繍模様を縫製するための刺繍データを作成する刺繍データ作成装置、刺繍データ作成プログラムおよび刺繍データ作成プログラムを記憶したコンピュータ読取り可能な記憶媒体に関する。
【背景技術】
【０００２】
刺繍縫製可能なミシンによって写真等の画像データに基づく図柄を刺繍縫製するための刺繍データ作成装置が知られている。例えば、特許文献１に開示されている刺繍データ作成装置によれば、イメージスキャナ装置で読み込まれた画像から取得された画像データに基づいて、画像内の各部の角度特徴とその強度が算出され、算出された角度特徴とその強度に従って線分が配置される。角度特徴とは、色の連続性の高い方向を示す情報であり、その強度は、色の変化の大きさを示す情報である。その後、各線分が配色され、同じ色の線分が接続され、縫目を示すデータに変換されることで、刺繍データが作成される。
【先行技術文献】
【特許文献】
【０００３】
【特許文献１】特開２００１−２５９２６８号公報
【発明の概要】
【発明が解決しようとする課題】
【０００４】
上記刺繍データ作成装置では、画像全体の特徴を効果的に反映するために、強度が強い角度特徴を優先して線分が配置される。一方、角度特徴の強度が弱い部分には、周囲の画素の角度特徴を加味する方法、または、角度特徴を一定方向に限定する方法で線分が配置される。しかし、周囲の画素の角度特徴を加味する方法では、元の画像の特徴を効果的に表現できるが、刺繍独特の風合いは表現できない場合がある。また、角度特徴を一定方向に限定する方法では、角度特徴が弱い部分に形成される一定方向の縫目が際立ちすぎる場合がある。
【０００５】
本発明は、元の画像の特徴を効果的に表現しつつ刺繍独特の風合いを自然に加味した縫目を形成できる刺繍データを作成する刺繍データ作成装置、刺繍データ作成プログラムおよび刺繍データ作成プログラムを記憶したコンピュータ読取り可能な媒体を提供することを目的とする。
【課題を解決するための手段】
【０００６】
本発明の第一の態様に係る刺繍データ作成装置は、複数の画素の集合体である画像の画像データに基づいて、ミシンにより刺繍縫製を行うための刺繍データを作成する刺繍データ作成装置である。前記刺繍データ作成装置は、第一算出手段と、第一配置手段と、第二算出手段と、取得手段と、第三算出手段と、第二配置手段と、作成手段とを備えている。前記第一算出手段は、前記画像データに基づいて、前記複数の画素の各々について、前記画像中の色の連続性の高い方向を示す情報である角度特徴と、前記色の変化の大きさを示す前記角度特徴の強度を算出する。前記第一配置手段は、前記第一算出手段によって算出された前記角度特徴に基づいて、前記複数の画素のうち、前記第一算出手段によって算出された前記強度が予め設定された閾値以上の画素である第一画素に対応する第一線分を配置する。前記第二算出手段は、前記複数の画素のうち、前記第一算出手段によって算出された前記強度が前記閾値よりも小さい画素である第二画素について、前記第一算出手段によって算出された前記第二画素の周囲の少なくとも一つの画素の前記角度特徴から、新たな角度特徴を算出する。前記取得手段は、前記第二画素に加味される角度特徴として予め設定された設定角度特徴を示す情報を取得する。前記第三算出手段は、前記第二算出手段によって算出された前記新たな角度特徴と、前記取得手段によって取得された前記情報が示す前記設定角度特徴とから、更に新たな角度特徴を算出する。前記第二配置手段は、前記第三算出手段によって算出された前記新たな角度特徴に基づいて、前記第二画素に対応する第二線分を配置する。前記作成手段は、前記第一配置手段によって配置された前記第一線分および前記第二配置手段によって配置された前記第二線分に対応する縫目を少なくとも示すデータを、刺繍データとして作成する。
【０００７】
前記刺繍データ作成装置によれば、画像の特徴的な部分に該当する第一画素については、画像データに基づいて算出された角度特徴に基づいて第一線分が配置される。一方、特徴が弱い部分に該当する第二画素については、周囲の画素の角度特徴が加味された新たな角度特徴に、予め設定された設定角度特徴が更に加味された新たな角度特徴が算出された後、これに基づいて第二線分が配置される。そして、これらの線分のデータから、ミシンにより刺繍縫製を行うための刺繍データが作成される。従って、刺繍独特の風合いを表現可能な角度特徴（例えば、所定方向の縫目の繰り返しパターン等）を設定角度特徴として予め設定しておけば、第二線分の配置方向にはそれが反映されるので、周囲の画素の角度特徴を加味するだけの場合に比べ、第二線分に対応する縫目によって刺繍独特の風合いを表現することができる。また、第二線分の配置方向には周囲の画素の角度特徴が反映されるので、第二画素に対して設定角度特徴のみが適用される場合に比べ、第二線分が際立ちすぎず、第一線分とより馴染む縫目を形成することができる。つまり、前記刺繍データ作成装置によれば、元の画像の特徴を効果的に表現しつつ刺繍独特の風合いを自然に加味した縫目を形成できる刺繍データを作成することができる。
【０００８】
前記刺繍データ作成装置は、領域設定手段と、第三配置手段とを更に備えてもよい。前記領域設定手段は、前記第三算出手段によって算出された前記新たな角度特徴に基づいて、前記第二配置手段によって前記第二線分が配置される領域を設定する。前記第三配置手段は、前記第二算出手段によって算出された前記新たな角度特徴に基づいて、前記領域設定手段によって設定された前記領域外にある前記第二画素に対応する前記第二線分を配置する。この場合に、前記第三算出手段は、前記領域設定手段によって設定された前記領域内にある前記第二画素についてのみ、前記新たな角度特徴を算出し、前記第二配置手段は、前記領域内にある前記第二画素に対応する前記第二線分を配置してもよい。そして、前記作成手段は、前記第一配置手段によって配置された前記第一線分、前記第二配置手段によって配置された前記第二線分、および前記第三配置手段によって配置された前記第二線分に対応する縫目を示すデータを、前記刺繍データとして作成してもよい。
【０００９】
この場合、設定された領域内にある第二画素についてのみ、周囲の画素の角度特徴と設定角度特徴とが加味され、領域外の第二画素には、周囲の画素の角度特徴のみが加味される。従って、例えば、人物の背景のような、画像中の色の変化が特に少ない領域だけを指定して、刺繍独特の風合いを加味することが可能となる。
【００１０】
前記刺繍データ作成装置は、複数種類の前記設定角度特徴を示す前記情報を記憶する記憶手段と、前記記憶手段に記憶された前記複数種類の前記情報のうち一つを指定する指定手段とを更に備えてもよい。そして、前記取得手段は、前記指定手段によって指定された前記情報を取得してもよい。
【００１１】
この場合、ユーザは予め設定された複数種類の設定角度特徴のうち所望の種類の設定角度特徴を指定することで、第二線分により、所望の刺繍の風合いを加味することができる。
【００１２】
本発明の第二の態様に係る刺繍データ作成プログラムは、前記第一の態様に係る刺繍データ作成装置の各種処理手段として、刺繍データ作成装置のコンピュータを機能させるためのプログラムである。したがって、刺繍データ作成プログラムがコンピュータによって実行されることにより、第一の態様に係る刺繍データ作成装置と同様の効果を奏することができる。
【００１３】
本発明の第三の態様に係るコンピュータ読取り可能な媒体は、前記第二の態様に係る刺繍データ作成プログラムを記憶している。したがって、媒体に記憶された刺繍データ作成プログラムがコンピュータによって実行されることにより、第一の態様に係る刺繍データ作成装置と同様の効果を奏することができる。
【図面の簡単な説明】
【００１４】
【図１】刺繍データ作成装置１の電気的構成を示すブロック図である。
【図２】ミシン３の外観図である。
【図３】刺繍データ作成処理のフローチャートである。
【図４】刺繍データ作成の元画像の一例を示す図である。
【図５】同心円状の縫目パターンの説明図である。
【図６】正弦波状の縫目パターンの説明図である。
【図７】市松模様状の縫目パターンの説明図である。
【図８】同心円状の縫目パターンに対応するマトリクスの説明図である。
【図９】第二画素に周辺画素の角度特徴のみを加味して作成された刺繍データに基づく縫製結果の例を示す図である。
【図１０】第二画素に設定角度特徴のみを加味して作成された刺繍データに基づく縫製結果の例を示す図である。
【図１１】本実施形態の刺繍データ作成処理により作成された刺繍データに基づく縫製結果の例を示す図である。
【図１２】変形例に係る刺繍データ作成処理のフローチャートである。
【図１３】適用領域の一例を示す図である。
【図１４】設定角度特徴の算出方法の説明図である。
【発明を実施するための形態】
【００１５】
以下、本発明の実施の形態について、図面を参照して説明する。まず、図１を参照して、刺繍データ作成装置１の構成について説明する。刺繍データ作成装置１は、後述のミシン３（図２参照）によって刺繍模様を縫製するのに使用される刺繍データを作成する装置である。本実施形態の刺繍データ作成装置１は、写真等の画像に基づく図柄を刺繍縫製するための刺繍データを作成することができる。
【００１６】
刺繍データ作成装置１は、例えば、所謂パーソナルコンピュータ等の汎用型の装置である。図１に示すように、刺繍データ作成装置１は、刺繍データ作成装置１の制御を司るコントローラであるＣＰＵ１１を備えている。ＣＰＵ１１には、ＲＡＭ１２と、ＲＯＭ１３と、入出力（Ｉ／Ｏ）インタフェイス１４とが接続されている。ＲＡＭ１２は、ＣＰＵ１１による演算処理で得られた演算結果等、各種のデータを一時的に記憶する。ＲＯＭ１３は、ＢＩＯＳ等を記憶する。Ｉ／Ｏインタフェイス１４は、データの受け渡しの仲介を行う。Ｉ／Ｏインタフェイス１４には、ハードディスク装置（ＨＤＤ）１５、入力機器であるマウス２２、ビデオコントローラ１６、キーコントローラ１７、ＣＤ−ＲＯＭドライブ１８、メモリカードコネクタ２３、およびイメージスキャナ装置２５が接続されている。また、図１には図示されていないが、刺繍データ作成装置１は、外部機器やネットワークとの接続のための外部インタフェイスを備えていてもよい。
【００１７】
ビデオコントローラ１６には、表示機器であるディスプレイ２４が接続され、キーコントローラ１７には、入力機器であるキーボード２１が接続されている。ＣＤ−ＲＯＭドライブ１８には、ＣＤ−ＲＯＭ５４を挿入することができる。例えば、刺繍データ作成プログラムのセットアップ時には、刺繍データ作成プログラムを記憶するＣＤ−ＲＯＭ５４がＣＤ−ＲＯＭドライブ１８に挿入される。そして、刺繍データ作成プログラムが読み込まれ、ＨＤＤ１５のプログラム記憶エリア１５３に記憶される。外部機器からまたはネットワーク経由で取得された刺繍データ作成プログラムがプログラム記憶エリア１５３に記憶されてもよい。メモリカードコネクタ２３には、メモリカード５５を接続して、メモリカード５５の情報の読み取り及びメモリカード５５に情報の書き込みを行うことができる。本実施形態で刺繍データ作成の元となる画像は、例えばイメージスキャナ装置２５を介して刺繍データ作成装置１に読み込まれる。
【００１８】
ＨＤＤ１５の記憶エリアについて説明する。図１に示すように、ＨＤＤ１５は、画像データ記憶エリア１５１、刺繍データ記憶エリア１５２、プログラム記憶エリア１５３、および設定値記憶エリア１５４を含む複数の記憶エリアを有する。画像データ記憶エリア１５１には、刺繍データ作成の元となる画像等、各種画像の画像データが記憶される。刺繍データ記憶エリア１５２には、本実施形態の刺繍データ作成処理によって作成された刺繍データが記憶される。プログラム記憶エリア１５３には、後述する刺繍データ作成プログラム等、刺繍データ作成装置１で行われる各種処理のためのプログラムが記憶される。設定値記憶エリア１５４には、各種処理で使用される各種設定値が記憶される。本実施形態では、設定値の一つとして、設定角度特徴に関する情報が記憶される。
【００１９】
図２を参照して、刺繍データ作成装置１で作成された刺繍データに基づいて刺繍模様を縫製することが可能なミシン３について、簡単に説明する。図２に示すように、ミシン３は、ベッド部３０、脚柱部３６、アーム部３８、および頭部３９を有する。ベッド部３０は、縫製者に対して左右方向に長い、ミシン３の土台部である。脚柱部３６は、ベッド部３０の右端部から上方へ延びる。アーム部３８は、ベッド部３０に対向して脚柱部３６の上端から左方へ延びる。頭部３９は、アーム部３８の左端に連結する部位である。ベッド部３０の上方には、刺繍が施される加工布を保持する刺繍枠４１を配置可能である。
【００２０】
刺繍縫製時には、刺繍枠４１は、ベッド部３０上に配置されるＹ方向駆動部４２、および本体ケース４３内に収容されたＸ方向駆動機構（図示せず）によって、ミシン３に固有のＸ・Ｙ座標系で示される針落ち点に移動される。刺繍枠４１が移動されるのと合わせて、縫針４４が装着された針棒３５及び釜機構（図示せず）が駆動されることにより、加工布上に刺繍模様が形成される。なお、Ｙ方向駆動部４２、Ｘ方向駆動機構、針棒３５等は、刺繍データに基づき、ミシン３に内蔵されたマイクロコンピュータ等を含む制御装置（図示せず）によって制御される。
【００２１】
ミシン３の脚柱部３６の側面には、メモリカード５５を着脱可能なメモリカードスロット３７が搭載されている。例えば、刺繍データ作成装置１で作成された刺繍データは、メモリカードコネクタ２３を介してメモリカード５５に記憶される。その後、メモリカード５５がミシン３のメモリカードスロット３７に装着され、記憶された刺繍データが読み出されて、ミシン３に刺繍データが記憶される。ミシン３の制御装置（図示せず）は、メモリカード５５から読み出された刺繍データに基づいて、上記の要素による刺繍模様の縫製動作を制御する。このようにして、刺繍データ作成装置１で作成された刺繍データに基づき、ミシン３を用いて刺繍模様を縫製することができる。
【００２２】
以下に、図３〜図１１を参照して、本実施形態の刺繍データ作成装置１で行われる刺繍データ作成処理について説明する。図３に示す刺繍データ作成処理は、ユーザが処理を開始する指示を入力すると、ＨＤＤ１５のプログラム記憶エリア１５３に記憶された刺繍データ作成プログラムが起動されることで開始され、ＣＰＵ１１がこのプログラムを実行することにより行われる。
【００２３】
図３に示すように、まず、刺繍データ作成の元となる画像（以下、元画像という）の画像データが刺繍データ作成装置１に入力される（Ｓ１）。画像データの入力方法は特に限定されないが、例えば、イメージスキャナ装置２５によって、写真や図柄が読み込まれ、取得された画像データが用いられる。その他、予めＨＤＤ１５の画像データ記憶エリア１５１に記憶された画像データや、ＣＤ−ＲＯＭ１１４、メモリカード５５、ＣＤ−Ｒ等の外部記憶媒体に記憶された画像データが入力されてもよい。なお、以下では、Ｓ１で図４に示す写真の画像データが入力され、この画像データに基づいて刺繍データが作成される場合を例として説明する。
【００２４】
続いて、設定角度特徴に関する情報が取得される（Ｓ３）。設定角度特徴とは、強度が所定の閾値よりも小さい画素に加味される角度特徴として、予め設定され、ＨＤＤ１５の設定値記憶エリア１５４に記憶されている角度特徴である。角度特徴は、画像中の色の連続性の高い方向を示す情報であり、角度特徴の強度は、色の変化の大きさを示す情報である。つまり、角度特徴の強度が所定の閾値以上である画素（以下、第一画素という）は、画像の特徴的な部分に該当する。一方、強度が閾値未満の画素（以下、第二画素という）は、特徴が弱い部分に該当する。
【００２５】
従来の刺繍データ作成方法では、角度特徴と強度とに基づいて縫目に対応する線分を配置して、刺繍データが作成される。より詳細には、特徴的な部分である第一画素を中心とする線分が優先的に配置された後、第二画素のうち、既に配置された線分に重なり合わない第二画素を中心とした線分が配置される。このとき、その第二画素の周囲の画素（以下、周辺画素という）の角度特徴を加味した角度特徴が再算出された上で、再算出された角度特徴に基づいて、第二画素を中心とする線分が配置される。つまり、特徴の弱い部分の縫目の方向は、周囲の縫目の方向により近い方向に修正されるのに等しい。この方法によれば、特徴の弱い部分の縫目は周囲の縫目に馴染むので、元画像の特徴的な部分を効果的に表現することができる。
【００２６】
しかしながら、刺繍というのは、縫目の方向によって様々な風合いを醸し出すことができるのがその大きな魅力の一つである。例えば、図４に示す写真が元画像である場合、少女の背景部分にはほとんど色の変化がないため、上記の従来の方法では、特徴に乏しい縫目が形成されることになる。このような部分に、例えば、所定方向の縫目の繰り返しパターン等を適用すれば、画像中の特徴的な部分である少女の頭部では元画像を自然に表現できる一方で、背景部分の縫目によって刺繍特有の魅力も発揮できると考えられる。そこで、本実施形態では、特徴が弱い部分に刺繍独特の風合いを加味するために、設定角度特徴が使用される。
【００２７】
図５〜図８を参照して、設定角度特徴を示す情報についてより詳細に説明する。本実施形態では、ＨＤＤ１５の設定値記憶エリア１５４には、複数種類の設定角度特徴を示す情報が記憶されている。例えば、複数の所定方向の縫目の繰り返しパターンとして、図５に示す同心円状の縫目パターン、図６に示す正弦波状の縫目パターン、図７に示す市松模様状の縫目パターンが適用される場合、これらのパターンの縫目の方向を示す角度特徴が予め算出され、設定角度特徴を示す情報が作成される。
【００２８】
具体的には、まず、各パターンについて、画像を構成する画素の各々に対応する角度特徴が算出される。そして、画像と同じサイズのマトリクスが用意され、マトリクス中の各要素に、対応する画素について算出された角度特徴が設定されることで、各パターンの設定角度特徴を示すマトリクスを作成することができる。図５に示す同心円状の縫目パターンの場合、図８に示すように、斜線が付された第５行第６列の要素を中心として、各要素に、同心円を形成する縫目の向きを示す角度特徴が設定されたマトリクスが作成できる。なお、角度特徴は、各画素を中心として、画像中の右方向を０度、下方向を９０度、左方向を１８０度とした角度で表される。また、図８では、図を簡略化するために１０行１０列のマトリクスが例示されているが、実際には、画像と同じサイズの（全画素に対応する要素を含む）マトリクスが使用される。図６に示す正弦波状の縫目パターンや図７に示す市松模様状の縫目パターンについても、同様にして、設定角度特徴を示すマトリクスを作成することができる。
【００２９】
このように、複数の縫目パターンに対応する複数種類のマトリクスが予め設定値記憶エリア１５４に記憶されている場合、図３に示す刺繍データ作成処理のＳ５では、図５〜図７に示すような、記憶されたマトリクスに対応する縫目パターンの画像がディスプレイ２４に選択可能な状態で表示される。そして、ユーザは、マウス２２またはキーボード２１を操作して、これらの縫目パターンのうち所望の１つを指定する。すると、指定された縫目パターンに対応するマトリクスが設定値記憶エリア１５４からＲＡＭ１２に取得される。
【００３０】
設定角度特徴を示す情報（マトリクス）が取得された後、元画像を構成する複数の画素の全てについて、各々の角度特徴と角度特徴の強度が算出される（Ｓ５）。角度特徴およびその強度は、いかなる方法で算出されてもよいが、例えば、特開２００１−２５９２６８に詳述されている方法を用いて算出することができる。よって、ここでは詳細な説明は省略し、概略のみを説明する。まず、元画像を構成する複数の画素のうち１つを注目画素として、注目画素とその周囲の所定数（例えば８個）の画素を注目領域とする。注目領域内の各画素の色に関する属性値（例えば、輝度値）に基づいて、注目領域内における色の連続性の高い方向が特定され、注目画素の角度特徴とされる。なお、角度特徴は、注目画素を中心として、画像中の右方向を０度、下方向を９０度、左方向を１８０度とした角度で表される。また、注目領域内における色の変化の大きさを示す値が算出されて、注目画素の角度特徴の強度とされる。
【００３１】
このように角度特徴およびその強度を算出する処理が、元画像を構成する画素の全てについて、順に行われる。各画素の角度特徴とその強度を示すデータは、ＲＡＭ１２の所定の記憶エリアに記憶される。なお、複数の画素を注目画素として、同様の処理が行われてもよい。また、角度特徴およびその強度は、上記の方法以外に、ＰｒｅｗｉｔｔのオペレータやＳｏｂｅｌのオペレータを用いて算出されてもよい。
【００３２】
算出された角度特徴の強度に基づき、元画像を構成する画素の各々が、第一画素と第二画素の何れかに特定され、その情報がＲＡＭ１２に記憶される（Ｓ７）。具体的には、元画像を構成する画素のうち、角度特徴の強度が所定の閾値以上である画素は第一画素とされ、角度特徴の強度が所定の閾値未満である画素は第二画素とされる。なお、ここで使用される閾値は、予め設定され、ＨＤＤ１５の設定値記憶エリア１５４に記憶された固定値であってもよいし、Ｓ５で算出された全画素の角度特徴の強度に基づいてＣＰＵ１１が決定した値であってもよい。あるいは、Ｓ５で算出された全画素の角度特徴の強度をみてユーザが入力した値が使用されてもよい。
【００３３】
Ｓ７で第二画素と特定された画素の各々について、周辺画素の角度特徴を加味した角度特徴が再算出され、ＲＡＭ１２に記憶される（Ｓ９）。再算出の方法として、例えば、特開２００１−２５９２６８に詳述されている方法を採用することができる。よって、ここでは詳細な説明は省略し、概略のみを説明する。
【００３４】
まず、第二画素のうち１つを注目画素として、周辺画素（注目画素が１つの場合、例えば、注目画素に隣接する８画素）が順に走査される。周辺画素に角度特徴の強度が閾値以上である第一画素が１つまたは複数含まれる場合、その１つまたは複数の第一画素の角度特徴のｃｏｓ値と角度特徴の強度の積の和Ｓｕｍ１、角度特徴のｓｉｎ値と角度特徴の強度の積の和Ｓｕｍ２とが算出される。そして、Ｓｕｍ２をＳｕｍ１で割って得られた値（Ｓｕｍ２／Ｓｕｍ１）のアークタンジェント値（ｔａｎ−１（Ｓｕｍ２／Ｓｕｍ１））が、注目画素とされた第二画素の新たな角度特徴とされる。このように、順次第二画素について角度特徴の再算出を行う。なお、それ以後に処理を行う第二画素の角度特徴の再算出において、既に再算出された第二画素の角度特徴が周囲にある場合は、その角度特徴を第一画素の角度特徴と同様、計算の元とする。周辺画素に第一画素も再算出済みの第二画素も含まれない場合、その第二画素の再算出後の角度特徴として、元の角度特徴がそのまま設定される。
【００３５】
更に、第二画素の各々について、Ｓ９で再算出された角度特徴と、Ｓ３で取得された情報が示す設定角度特徴とから、線分の配置方向を決定するための最終的な角度特徴が算出され、ＲＡＭ１２に記憶される（Ｓ１１）。第二画素の最終的な角度特徴は、例えば、以下に説明する方法で算出される。まず、処理対象の第二画素の角度特徴の強度をＳとし、Ｓ７において、第一画素と第二画素とを判別するのに使用された角度特徴の強度の閾値をＴとする。また、Ｓ９で従来の方法によって再算出された処理対象の第二画素の角度特徴をθ１、Ｓ３で取得されたマトリクスにおいて処理対象の第二画素に対応する要素が示す設定角度特徴をθ２、第二画素の最終的な角度特徴をθ３とする。そして、これらの値を用いて、以下の式からｄＸおよびｄＹを夫々算出する。
ｄＸ＝ｃｏｓθ１×Ｓ＋ｃｏｓθ２×（Ｔ−１−Ｓ）
ｄＹ＝ｓｉｎθ１×Ｓ＋ｓｉｎθ２×（Ｔ−１−Ｓ）
そして、以下の式に示すように、ｄＹをｄＸで割って得られた値（ｄＹ／ｄＸ）のアークタンジェント値が、第二画素の最終的な角度特徴θ３とされる。
θ３＝ｔａｎ−１（ｄＹ／ｄＸ）
【００３６】
なお、上記の式で、ｃｏｓθ１（ｓｉｎθ１）に、第二画素の角度特徴の強度Ｓをそのまま乗じる一方で、ｃｏｓθ２（ｓｉｎθ２）に、閾値Ｔから１と第二画素の角度特徴の強度Ｓとを引いた値を乗じるのは、第二画素は特徴が弱い部分であることから、周辺画素中の第一画素の角度特徴が加味されたθ１に、設定角度特徴θ２よりも重みを付けるためである。これにより、第二画素のうちで、角度特徴がより強い第二画素の角度特徴は、周辺画素中の第一画素の角度特徴が加味されたθ１により近いものとなる。反対に、第二画素のうちで、角度特徴がより弱い第二画素の角度特徴は、設定角度特徴θ２により近いものとなる。つまり、特徴が強い部分に近い第二画素については、従来のように、周囲の縫目の方向により近くなるように角度特徴が修正される一方で、周囲にも特徴が強い部分がほとんどない第二画素については、予め設定された縫目パターンの縫目の方向により近くなるように角度特徴が修正される。
【００３７】
なお、ここで説明した第二画素の最終的な角度特徴の算出方法はあくまでも例示であり、他の方法で算出されてもよいことはもちろんである。例えば、以下の式からｄＸおよびｄＹを夫々算出し、θ３を算出してもよい。なお、αは、０より大きく１より小さい固定値であり、全ての画素に共通に適用される。
ｄＸ＝ｃｏｓθ１×α＋ｃｏｓθ２×（１−α）
ｄＹ＝ｓｉｎθ１×α＋ｓｉｎθ２×（１−α）
この場合、ｄＸ、ｄＹは、第二画素の角度特徴の強度に依存しない。αが１に近づくほどθ３はθ１に近づき、αが０に近づくほどθ３はθ２に近づく。よって、αの値を操作することで、設定角度特徴θ２の影響の度合いをユーザが好きなように指定することができる。
【００３８】
さらに、以下の式からｄＸおよびｄＹを夫々算出し、θ３を算出してもよい。
ｄＸ＝ｃｏｓθ１×Ｓ×α＋ｃｏｓθ２×（Ｔ−１−Ｓ）×（１−α）
ｄＹ＝ｓｉｎθ１×Ｓ×α＋ｓｉｎθ２×（Ｔ−１−Ｓ）×（１−α）
この場合、第二画素の角度特徴の強度に依存しつつ、さらに、設定角度特徴θ２の影響の影響の度合いをユーザが指定できる。
【００３９】
第二画素の最終的な角度特徴が算出されると、刺繍模様の縫目に対応する線分を配置する処理が行われる（Ｓ１３）。線分の配置処理はいかなる公知の方法で行われてもよいが、例えば、特開２００１−２５９２６８に詳述されている方法を採用することができる。この方法では、なるべく画像全体を埋めるように、なるべく重なり合わない線分が配置される。以下に概略のみを説明する。画像を構成する画素を左から右、上から下へ走査しながら、まずはＳ７で特定された第一画素について、順に、線分が配置されていく。このとき、第一画素を中心として、所定の長さ（予め設定された長さまたはユーザが入力した長さ）を有し、Ｓ５で算出された角度特徴が示す方向に伸びる線分が配置される。つまり、画像中の特徴を直接的に示す線分が配置される。各線分の端点を示す情報（座標）は、ＲＡＭ１２に記憶される。
【００４０】
全ての第一画素に対して線分の配置が終了すると、画像を構成する画素を左から右、上から下へ走査しながら、Ｓ７で特定された第二画素のうち、第一画素に対応する線分と重なり合わない第二画素について、順に、線分が配置される。なお、既に第二画素に対応する線分が作成されている場合は、作成済みの第二画素に対応する線分とも重なり合わない第二画素についてのみ、線分が配置される。第二画素に対応する線分は、第二画素を中心として、所定の長さを有する線分であって、Ｓ１１で算出された角度特徴が示す方向に伸びるものである。つまり、第二画素については、その角度特徴の強度に応じて、予め設定された縫目パターン（図５〜図７参照）のうち選択された縫目パターンの縫目の方向と、周囲の第一画素に対応する線分の配置方向が融合された方向に伸びる線分が配置されることになる。各線分の端点を示す情報は、ＲＡＭ１２に記憶される。  
【００４１】
このようにして、第一画素、第二画素に対応する線分の配置が終了すると、各線分の色を決定する処理（Ｓ１５）、同じ色の線分を接続する処理（Ｓ１７）、線分のデータから、ミシン３（図２参照）で使用可能な刺繍データを作成する処理（Ｓ１９）が行われて、図３に示す刺繍データ作成処理は終了する。Ｓ１５、Ｓ１７、Ｓ１９の処理については、いかなる公知の方法で行われてもよいが、例えば、特開２００１−２５９２６８に詳述されている方法を採用することができる。よって、ここでは詳細な説明は省略し、以下に概略のみを説明する。
【００４２】
まず、各線分の色を決定する処理（Ｓ１５）では、元画像において、注目画素を中心とする所定の範囲が、元画像の色を参照する範囲（参照領域）として設定される。そして、元画像の参照領域内の色の平均値と、注目画素を中心とする参照領域と同じサイズの領域に配置された線分に対してすでに決定された色の平均値が等しくなるように、注目画素に対応する線分の色が決定される。つまり、元画像の色とすでに決定された線分の色とに基づいて、線分の各々の色が決定されていく。さらに、決定された線分の色に基づいて、各線分に対応する縫目の縫製に使用される糸の色（糸色）が決定される。各線分に対応する糸色は、例えば、刺繍縫製に使用可能な複数の糸の色のうち、決定された線分の色に最も近い色に決定すればよい。具体的には、使用可能な糸の色の各々のＲＧＢ値と線分の色のＲＧＢ値とのＲＧＢ空間での空間距離を求め、その距離が最小となる糸色を、その第２線分色とすればよい。
【００４３】
同じ糸の色の線分を順に接続する処理（Ｓ１７）では、まず、画像の左端に対応する位置に最も近い線分を接続順が１番目の線分として、その２つの端点のうち一方が始点とされ、他方が終点とされる。次に、同じ糸色の他の線分のうち、１番目の線分の終点に最も近い位置にある端点を有する線分が、接続先である２番目の線分とされる。同様にして、順に、すでに接続された線分の終点に、同じ糸色の線分の最も近い位置にある端点を接続していく。その後、糸色毎に接続された線分群を、近い端点同士で接続することにより、全ての線分が接続される。そして、接続された全ての線分の端点の位置（座標）、接続順、および糸色を示すデータが作成される。
【００４４】
刺繍データを作成する処理（Ｓ１９）では、全ての線分の端点の座標がミシン３に固有の座標系の座標に変換され、針落ち点、縫い順、および糸色を示すデータとされることで、刺繍データが作成される。作成された刺繍データは、ＨＤＤ１５の刺繍データ記憶エリア１５２に記憶される。
【００４５】
ここで、図９〜図１１に、本実施形態の刺繍データ作成処理を適用した場合の効果を例示する。図９は、図４に示す元画像において、第二画素に対して、図１２のＳ９の処理で従来法により再算出された角度特徴のみに基づいて線分を配置し、刺繍データを作成した場合の縫製結果を示している。この例では、元画像全体が自然な縫目で表現されている。ここでは特に、少女の額の領域及び背景領域に注目する。いずれも元の画像の特徴が弱く、周囲の特徴の強い部分の影響を受ける形で縫い目が形成されており、周囲に馴染む様に効果的に表現されている。一方で、特に背景部分においては、刺繍独特の風合いは十分に表現されていない。
【００４６】
図１０は、図４に示す元画像において、第二画素に対して、図８に示す同心円状の縫目パターンを示すマトリクスで設定された設定角度特徴のみに基づいて線分を配置し、刺繍データを作成した場合の縫製結果を示している。この例では、背景部分および少女の頭部に同心円状の縫目が形成されており、刺繍独特の風合いが顕著に見られる。一方で、同心円状の縫目が際立ちすぎる傾向がある。よって、特徴的な少女の頭部（額）の印象が若干弱くなっている。
【００４７】
図１１は、図４に示す元画像を基に、本実施形態の刺繍データ作成処理によって刺繍データを作成した場合の縫製結果を示している。つまり、第二画素には、図１２のＳ９で再算出された角度特徴と、図１０の例の同心円状の縫目パターンの設定角度特徴とから決定された最終的な角度特徴に基づいて線分が配置された例である。この例では、特に特徴が弱い部分には同心円状の縫目パターンが活かされる一方、特徴的な少女の頭部（額）では同心円状の縫目が際立ちすぎず、元画像の効果的な表現が実現されている。
【００４８】
以上に説明したように、本実施形態の刺繍データ作成装置１によれば、元画像の特徴的な部分に該当する第一画素については、画像データに基づいて算出された角度特徴（Ｓ５）に基づいて線分が配置される。一方、特徴が弱い部分に該当する第二画素については、周囲の画素の角度特徴が加味されて再算出された角度特徴（Ｓ９）に、予め設定された設定角度特徴が更に加味された最終的な角度特徴（Ｓ１１）が算出され、これに基づいて線分が配置される。そして、これらの線分のデータから、ミシン３により刺繍模様の縫目を形成するための刺繍データが作成される。
【００４９】
従って、刺繍独特の風合いを表現可能な角度特徴を設定角度特徴として予め設定しておけば、第二画素に対応する線分の配置方向にはそれが反映されるので、周辺画素の角度特徴を加味するだけの場合に比べ、第二画素に対応する縫目によって刺繍独特の風合いを表現することができる。また、第二画素に対応する線分の配置方向には周辺画素の角度特徴が反映されるので、第二画素に対して設定角度特徴のみが適用される場合に比べ、第二画素に対応する線分が際立ちすぎず、第一画素に対応する線分とより馴染む縫目を形成することができる。つまり、本実施形態の刺繍データ作成装置１によれば、元画像の特徴を効果的に表現しつつ刺繍独特の風合いを自然に加味した縫目を形成できる刺繍データを作成することができる。
【００５０】
また、本実施形態では、ＨＤＤ１５の設定値記憶エリア１５４に、設定角度特徴を示す情報として、予め、刺繍独特の風合いを表現可能な複数種類の縫目パターン（図５〜図７参照）に対応する複数のマトリクスが記憶されている。そして、ユーザがこれらの縫目パターンのうち所望の種類の一つを、第二画素に適用される設定角度特徴として指定することができる。これにより、ユーザは、特徴の弱い部分に対して所望の刺繍の風合いを加味することができる。
【００５１】
本実施形態では、ＨＤＤ１５は本発明の「記憶手段」に相当し、キーボード２１およびマウス２２は、「指定手段」に相当する。図３の刺繍データ作成処理のＳ３で、指定された縫目パターンに対応するマトリクスを取得する処理を行うＣＰＵ１１は、「取得手段」に相当する。Ｓ５で、全ての画素について角度特徴とその強度を算出する処理を行うＣＰＵ１１は、「第一算出手段」に相当する。Ｓ９で、周辺画素の角度特徴を加味した第二画素の角度特徴を再算出する処理を行うＣＰＵ１１は、「第二算出手段」に相当する。Ｓ１１で、Ｓ９で再算出された角度特徴と設定角度特徴とから、第二画素の最終的な角度特徴を算出する処理を行うＣＰＵ１１は、「第三算出手段」に相当する。Ｓ１３で、第一画素および第二画素に対応する線分を夫々配置する処理を行うＣＰＵ１１は、「第一配置手段」および「第二配置手段」に相当する。Ｓ１９で、配置された線分のデータから刺繍データを作成する処理を行うＣＰＵ１１は、「作成手段」に相当する。
【００５２】
なお、本記実施形態の刺繍データ作成処理（図３参照）では、Ｓ９、Ｓ１１において、全ての第二画素について最終的な角度特徴を算出しなおした後、Ｓ１３で線分を配置する。これに代えて、線分が配置される第二画素についてのみ、最終的な角度特徴を算出しなおしてもよい。なぜなら、前述のように、線分の配置処理においては、第一画素が優先されるので、全ての第二画素に対して線分が配置されるとは限らないからである。この場合、Ｓ７の処理の後、特定された第一画素に対応する線分が、上記実施形態と同じ方法で先に配置される。その後、第一画素に対応する線分および既に配置された第二画素に対応する線分と重なり合わない第二画素についてのみ、Ｓ９、Ｓ１１の処理と同様に、最終的な角度特徴の算出処理が行われ、対応する線分が配置されればよい。
【００５３】
本発明は上記実施形態に限定されるものではなく、種々の変更が可能である。例えば、上記実施形態の刺繍データ作成処理では、元画像中の全ての第二画素について、設定角度特徴を加味した最終的な角度特徴が算出されている。しかしながら、第二画素に設定角度特徴を加味する領域、つまり、刺繍独特の風合いを加味したい領域が設定できるように処理が変更されてもよい。以下に、図１２、図４および図１３を参照して、このような変形例に係る刺繍データ作成処理について説明する。なお、以下では、図１２に示す変形例の刺繍データ作成処理において、上記実施形態の刺繍データ作成処理（図３参照）と同一内容の処理については同一のステップ番号を付して説明を簡略化し、上記実施形態とは異なる処理の詳細について説明する。
【００５４】
図１２に示すように、変形例に係る刺繍データ作成処理でも、画像が入力され、設定角度特徴を示す情報が取得される処理（Ｓ１、Ｓ３）は上記実施形態と同じである。その後、設定角度特徴を加味した最終的な角度特徴を第二画素に適用する領域（以下、適用領域という）を設定する処理が行われる（Ｓ４）。例えばユーザが指定した領域が適用領域として設定されればよい。
【００５５】
この場合、例えば、まず、元画像（図４参照）を含む領域設定画面（図示略）がディスプレイ２４に表示される。そして、ユーザは、マウス２２を操作して、領域設定画面上で任意の閉領域を指定すればよい。具体的には、例えば、ユーザは、マウス２２を移動しながら、領域設定画面上で任意の点でマウス２２をクリックする操作を繰り返す。そして、最初の点で再度マウス２２がクリックされると、閉領域の指定が終了する。ＣＰＵ１１は、クリックされた点に対応する画像中の位置を順に線分でつないでいくことで、適用領域を設定すればよい。
【００５６】
あるいは、ユーザがフリーハンドでマウス２２をドラッグし、そのポインタ（図示略）の移動軌跡を境界線として、適用領域が設定されてもよい。この場合、ポインタの移動軌跡が閉じていない場合には、移動軌跡の始点と終点とを結んで適用領域が設定されればよい。なお、設定された適用領域の境界線を示す情報はＲＡＭ１２に記憶される。
【００５７】
例えば、図４に示す元画像の少女の背景部分のみに刺繍独特の風合いを加味したい場合、ユーザは、上記の方法を用いてこの背景部分のみを適用領域として指定する。この場合、図１３に黒塗りで示す領域が、適用領域として設定されることになる。
【００５８】
全ての画素について、元画像の画像データに基づいて角度特徴とその強度を算出する処理（Ｓ５）、第一画素および第二画素を特定する処理（Ｓ７）と、第二画素について、従来の方法で周辺画素の角度特徴を加味した角度特徴を再算出する処理（Ｓ９）は、上記実施形態と同じである。
【００５９】
続いて、適用領域内の第二画素について、Ｓ９で再算出された角度特徴とＳ３で取得された情報が示す設定角度特徴とから、適用領域内の第二画素の最終的な角度特徴が算出される（Ｓ１２）。最終的な角度特徴の算出方法は、基本的には上記実施形態のＳ１１の処理について説明した方法と同じであるが、対象とされる第二画素が、元画像の全領域内の第二画素ではなく、適用領域内の第二画素のみであるという点で、処理が異なる。
【００６０】
続くＳ１４の線分の配置処理では、第一画素については上記実施形態と同様に線分が配置される。一方、第二画素に対応する線分の配置方法は、処理対象の第二画素が適用領域内にあるか否かでその方法が異なる。まず、適用領域内（境界線上を含む）にある第二画素については、上記実施形態と同様の方法で線分が配置される。つまり、第二画素を中心として、所定の長さを有し、Ｓ１２で算出された角度特徴が示す方向に伸びる線分が配置される。一方、適用領域外にある第二画素については、Ｓ９で従来の方法により再算出された、第二画素の元々の角度特徴に周辺画素の角度特徴を加味した角度特徴が適用される。つまり、第二画素を中心として、所定の長さを有し、Ｓ９で算出された角度特徴が示す方向に伸びる線分が配置される。
【００６１】
その後の線分の色を決定する処理（Ｓ１５）、線分を接続する処理（Ｓ１７）、および刺繍データを作成する処理（Ｓ１９）は、上記実施形態と同じである。
【００６２】
以上に説明したように、変形例に係る刺繍データ作成処理では、設定された適用領域内にある第二画素にのみ、周辺画素の角度特徴と設定角度特徴とが加味され、適用領域外の第二画素には、周辺画素の角度特徴のみが加味される。従って、特定の領域（例えば、人物の背景のような、画像中の色の変化が特に少ない領域）だけを指定して、刺繍独特の風合いを加味することが可能となる。
【００６３】
本変形例において、図１２の刺繍データ作成処理のＳ４で適用領域を設定する処理を行うＣＰＵ１１は、本発明の「領域設定処理」に相当する。Ｓ１２で、適用領域内にある第二画素についてのみ、設定角度特徴を加味した角度特徴を算出する処理を行うＣＰＵ１１は、「第三算出手段」に相当する。Ｓ１４で、適用領域内にある第二画素について、設定角度特徴を加味した角度特徴に基づき線分を配置し、適用領域外にある第二画素については、周辺画素の角度特徴のみを加味した角度特徴に基づき処理を行うＣＰＵ１１は、「第二配置手段」および「第三配置手段」に相当する。
【００６４】
なお、本変形例においても、Ｓ１４で全ての線分の配置処理をまとめて行う必要はない。具体的には、Ｓ７で特定された第一画素に対応する線分のみを配置した後、適用領域内にある第二画素についてのみ、Ｓ９、Ｓ１２の処理を行って最終的な角度特徴を算出してから線分を配置し、更に、適用領域外にある第二画素について、Ｓ９の処理を行って角度特徴を再算出してから線分を配置する処理としてもよい。
【００６５】
上記変形例に限らず、その他の変更が加えられてもよい。例えば、設定角度特徴を示す情報（例えば、上記実施形態のマトリクス）は、必ずしも複数種類用意して選択可能とする必要はない。１種類の設定角度情報が一律で使用されてもよい。また、設定角度特徴を示す情報は、上記実施形態で例示した所定方向の縫目の繰り返しパターンに関連するものである必要はない。
【００６６】
また、所定方向の縫目の繰り返しパターンの場合、設定角度情報を示す情報として、予め図８に例示したようなマトリクスが用意されている必要はない。この場合、刺繍データ作成処理（図３参照）のＳ５では、設定角度特徴を示す情報として、適用する縫目パターンを示す情報だけを取得し、Ｓ１１で、その情報に応じた角度特徴を算出し、設定角度特徴として用いてもよい。
【００６７】
例えば、図５に示す同心円状の縫目パターンの場合、次のようにして、第二画素の各々の設定角度特徴を算出することができる。図１４に示すように、画像の中心に位置する画素を中心画素Ｃ、その座標を（Ｃｘ，Ｃｙ）とする。設定角度特徴を算出する対象の第二画素を注目第二画素Ｐ、その座標を（Ｐｘ，Ｐｙ）、注目第二画素Ｐの設定角度特徴をθとする。同心円の場合、設定角度特徴θは、中心画素Ｃを中心とし、線分ＣＰを半径とする円の注目第二画素Ｐにおける接線の角度である。よって、ｄｘ＝Ｃｘ−Ｐｘ、ｄｙ＝Ｃｙ−Ｐｙとした場合、θは、次の式で算出できる。
θ＝ｔａｎ−１｛ｄｘ／（−ｄｙ）｝
正弦波（図６参照）、市松模様（図７参照）等、その他の繰り返しパターンの場合も同様に、基準となる画素との関係で第二画素の設定角度特徴を算出する式が設定されていれば、マトリクスが用意されていなくてもよい。
【００６８】
また、設定角度特徴を示す情報として、例えば、刺繍データ作成処理（図３参照）のＳ９で周辺画素の角度特徴を加味して再算出された角度特徴を回転させる角度を示す情報であってもよい。例えば、「時計回りに３０度」という情報が設定角度特徴を示す情報として設定されていた場合、Ｓ１１では、第二画素の最終的な角度特徴（角度）として、Ｓ９で算出された角度特徴（角度）に３０度を加えた角度（１８０度を超える場合は更に１８０度を差し引く）が得られる。また、このような設定角度特徴が、図１２に示す変形例に係る刺繍データ作成処理に適用されると、適用領域内の第二画素に対応する線分のみが設定された角度だけ回転されるので、適用領域内に、他の領域とは異なる風合いの縫目を形成することができる。
【００６９】
１  刺繍データ作成装置
３  ミシン
１１  ＣＰＵ
１５  ＨＤＤ
２１  キーボード
２２  マウス
【図１】
2013192579.tif 000003
【図２】
2013192579.tif 000004
【図３】
2013192579.tif 000005
【図５】
2013192579.tif 000006
【図６】
2013192579.tif 000007
【図７】
2013192579.tif 000008
【図８】
2013192579.tif 000009
【図１２】
2013192579.tif 000010
【図１３】
2013192579.tif 000011
【図１４】
2013192579.tif 000012
【図４】
2013192579.tif 000013
【図９】
2013192579.tif 000014
【図１０】
2013192579.tif 000015
【図１１】
2013192579.tif 000016